(57)【要約】【課題】本発明は、ＥＳＬタグに関する。【解決手段】本発明のＥＳＬタグは、電池と連結されて電源の提供を受け、ＩＣが活性化モードである際には前記電源を昇圧して前記ＩＣに提供し、前記ＩＣがスリープモードである際には前記電源をそのまま前記ＩＣに伝達する電源調節部を含むことで、電池の電圧降下現象が発生する場合にも正常に動作することができる。【選択図】図３
2014204667.tif 000002
【特許請求の範囲】
【請求項１】
電池と、
ＩＣと、
前記電池と連結されて電源の提供を受ける電源調節部と、を含み、
前記電源調節部は、前記ＩＣが活性化モードである際には前記電源を昇圧して前記ＩＣに提供し、前記ＩＣがスリープモードである際には前記電源をそのまま前記ＩＣに伝達する、ＥＳＬタグ。
【請求項２】
前記ＩＣは、
前記電源調節部と連結され、電源が印加される電源入力端と、
前記ＩＣが活性化モードである際には第１制御信号を出力し、前記ＩＣがスリープモードである際には第２制御信号を出力する制御信号出力端と、を含む、請求項１に記載のＥＳＬタグ。
【請求項３】
前記電源調節部は、
前記電源が印加される第１端子と、
前記制御信号出力端と連結された第２端子と、
前記電源入力端と連結された第３端子と、を含み、
前記第２端子に前記第２制御信号が印加されると、前記第１端子に印加された電圧と同一の電圧を前記第３端子に出力し、前記第２端子に前記第１制御信号が印加されると、前記第１端子に印加された電圧を昇圧して前記第３端子に出力する、請求項２に記載のＥＳＬタグ。
【請求項４】
前記電源調節部は、
前記第１端子に一端が連結され、前記第３端子に他端が連結され、前記第２端子に制御端子が連結されたスイッチ部と、
前記第１端子と連結された入力端子、前記第３端子の他端と連結された出力端子、及び前記第２端子に印加された制御信号の反転信号を受信する制御信号入力端子を含み、前記入力端子に印加された電圧を昇圧して前記第３端子に出力するアップ‐コンバータ部と、をさらに含む、請求項３に記載のＥＳＬタグ。
【請求項５】
前記第１制御信号はＯＦＦまたはＬｏｗ信号であり、前記第２制御信号はＯＮまたはＨｉｇｈ信号であって、
前記アップ‐コンバータ部は、前記制御信号入力端子にＯＮまたはＨｉｇｈ信号が印加されると作動を開始し、前記制御信号入力端子にＯＦＦまたはＬｏｗ信号が印加されると作動を停止する、請求項４に記載のＥＳＬタグ。
【請求項６】
電源端子を介して電源を出力する電池と、
活性化モードで第１制御信号を出力し、スリープモードで第２制御信号を出力するＩＣと、
前記電源の入力を受け、前記第２制御信号が印加された場合に比べ、前記第１制御信号が印加された場合に相対的に高い電圧を出力して前記ＩＣに提供する電源調節部と、を含む、ＥＳＬタグ。
【請求項７】
前記ＩＣは、
前記電源調節部と連結され、電源が印加される電源入力端と、
前記第１制御信号及び前記第２制御信号を出力する制御信号出力端と、を含む、請求項６に記載のＥＳＬタグ。
【請求項８】
前記電源調節部は、
前記電源端子と連結された第１端子と、
前記制御信号出力端と連結された第２端子と、
前記電源入力端と連結された第３端子と、を含む、請求項７に記載のＥＳＬタグ。
【請求項９】
前記電源調節部は、
前記第２端子に前記第２制御信号が印加されると、前記第１端子に印加された電圧をレギュレートして前記第３端子に出力し、前記第２端子に前記第１制御信号が印加されると、前記第１端子に印加された電圧を減圧して前記第３端子に出力する、請求項８に記載のＥＳＬタグ。
【請求項１０】
前記電源調節部は、
前記第１端子に入力側が連結され、前記第３端子に出力側が連結され、前記第２端子に制御端子が連結されたレギユレ一タと、
前記第１端子と連結された入力端子、前記第３端子の他端と連結された出力端子、及び前記第２端子に印加された制御信号の反転信号を受信する制御信号入力端子を含み、前記入力端子に印加された電圧を減圧して前記第３端子に出力するダウン‐コンバータ部と、を含む、請求項８に記載のＥＳＬタグ。
【請求項１１】
前記第１制御信号はＯＦＦまたはＬｏｗ信号であり、前記第２制御信号はＯＮまたはＨｉｇｈ信号であって、
前記ダウン‐コンバータ部は、前記制御信号入力端子にＯＮまたはＨｉｇｈ信号が印加されると作動を開始し、前記制御信号入力端子にＯＦＦまたはＬｏｗ信号が印加されると作動を停止する、請求項１０に記載のＥＳＬタグ。
【請求項１２】
電源端子を介して電源を出力する電池と、
前記電源端子と連結され、電源が印加される電源入力端、及び制御信号を出力する制御信号出力端を備えており、活性化モードで第１制御信号を出力し、スリープモードで第２制御信号を出力する第１ＩＣと、
前記第１ＩＣと分離して個別に動作する第２ＩＣと、
前記電源端子と連結された第１端子、前記制御信号出力端と連結された第２端子、及び前記第２ＩＣと連結された第３端子を備えた電源調節部と、を含み、
前記電源調節部は、前記第２端子に前記第２制御信号が印加されると、前記第１端子に印加された電圧と同一の電圧を前記第３端子に出力し、前記第２端子に前記第１制御信号が印加されると、前記第１端子に印加された電圧を昇圧して前記第３端子に出力する、ＥＳＬタグ。
【発明の詳細な説明】
【技術分野】
【０００１】
本発明は、ＥＳＬ（Ｅｌｅｃｔｒｏｎｉｃ  Ｓｈｅｌｆ  Ｌａｂｅｌ）タグに関する。
【背景技術】
【０００２】
小売店などの所定の空間内で多くの品物を展示及び販売するために、商品の情報及び価格を表示するラベルが用いられている。
【０００３】
通常、価格表示ラベルは、販売に必要な商品の情報、例えば、価格及び割引情報を紙に直接手書きしたり、規格化した形式に従って紙に印刷したりして、該当商品が陳列された付近に付着する方式で用いられている。
【０００４】
上記のような従来の方式は、一見として、単純で且つ簡便であり、低コストで実現できると思われるが、大型化した小売店のように、数万個以上の商品品目に規格化した形式が適用され、その価格の変動が随時に発生する場合には、従来の紙ラベル方式のみを適用するには限界があった。
【０００５】
すなわち、多くの商品品目のうち一部品目の価格が変動した場合、それを選り分けて、その変動された価格などの商品情報を手書きまたは印刷した後、小売店内の該当商品が陳列された位置に行ってラベルを訂正及び入れ替えなければならない。
【０００６】
そのため、商品の価格情報が変更される度に、上記のような訂正及び入れ替え作業を行うための時間及び人力が必要であった。大型の小売店の特性上、このような問題を改善する必要性が高まっている。
【０００７】
すなわち、最小のコストで、速く且つ正確に、簡便に商品情報を変えることができる手段を開発する必要がある。
【０００８】
近年、このような市場の要求に応えるべく、従来の紙ラベルに代えて、電子装置を用した電子タグを使用するための試みが行われている。例えば、特許文献１及び特許文献２などの多数の文献に関連技術が開示されている。
【０００９】
関連技術を開発している団体や国の言語及び文化的な相違により、「Ｅｌｅｃｔｒｏｎｉｃ  Ｓｈｅｌｆ  Ｌａｂｅｌ（ＥＳＬ）」、「Ｅｌｅｃｔｒｏｎｉｃ  Ｐｒｉｃｅ  Ｌａｂｅｌ（ＥＰＬ）」、「Ｅｌｅｃｔｒｏｎｉｃ  Ｉｎｆｏｒｍａｔｉｏｎ  Ｌａｂｅｌ（ＥＩＬ）」などの多様な用語が用いられているが、これは、ラベル及び電子タグを認識して表現する文化／言語的な相違に起因するものであり、その目的及び用途は同様である。
【００１０】
一方、通常、ＥＳＬタグなどの電子表示装置には、基本電圧源として電池が用いられる。
【００１１】
また、ＥＳＬタグの動作寿命を最大化するために、ＥＳＬタグの電池の消耗を減少させるための様々な技術が適用されている。
【００１２】
特に、データの送受信または表示内容の変更など、ＥＳＬタグが特定動作を行わなければならない場合にのみ活性化状態となり、その以外の場合には、特定状態を維持するに必要な最小限の電力のみを消耗するスリープ状態となるようにする、いわゆるタイムスケジューリング方法が広く活用されている。
【００１３】
ところが、このようなタイムスケジューリング方法を用いる場合、ＥＳＬタグが活性モードで相対的に多くの電流を使用することになるため、電池の電圧レベルが急激に低くなる。
【００１４】
特に、冷凍システムや冷蔵システムにＥＳＬタグが設けられた場合には、低温環境でＥＳＬタグが動作する。この際、この低温環境により電池の電圧降下現象が発生し、これによってＥＳＬタグに提供される電源電圧がＥＳＬタグの最小動作電圧（Ｖｍｉｎ）未満に低くなって、ＥＳＬタグの動作が停止する状況が発し得る。
【００１５】
すなわち、低温環境では、電池に貯蔵されている電気エネルギーの容量が十分な状態であるにもかかわらず、ＥＳＬタグが正常に動作しないという問題があった。
【００１６】
一方、上記のような問題を解決するために、電池の容量を増加させる方法が考えられる。この際、一般にＥＳＬタグに適用されるコイン型電池の場合、その容量を増加させるためには、厚さまたは面積を増加させるか、または一つのＥＳＬタグに搭載される電池の数量を増加させなければならない。
【００１７】
しかし、このような方法により電池の容量を増加させる場合、ＥＳＬタグに必須的に備えられるべき回路パターンや各種モジュールの配置設計における設計の自由度が低下し得る。すなわち、２層の印刷回路基板で具現され得る回路パターンやモジュールを、電池容量を増加させるために４層の印刷回路基板で具現しなければならないため、ＥＳＬタグの厚さまたは面積が増加される。これは、電子製品の小型化及びスリム化の傾向にも逆行するだけでなく、ＥＳＬタグの製造コストの増加をもたらすため、望ましくない。
【００１８】
したがって、電圧レベルの急激な減少が発生した場合にも、ＥＳＬタグなどが正常に動作できるようにする技術的手段の開発が要求されている状況である。
【先行技術文献】
【特許文献】
【００１９】
【特許文献１】米国特許出願公開第２０１０／０１０６５８８号明細書
【特許文献２】米国特許出願公開第２０１０／０２０５０００号明細書
【発明の概要】
【発明が解決しようとする課題】
【００２０】
上記の問題点を解決するためになされた本発明は、低温環境などによる電池の電圧降下現象が発生する場合にも正常に動作することができるＥＳＬタグを提供することを目的とする。
【課題を解決するための手段】
【００２１】
上記の目的を達成するためになされた本発明の一形態によるＥＳＬタグは、電池と、ＩＣと、前記電池と連結されて電源の提供を受ける電源調節部と、を含み、前記電源調節部は、前記ＩＣが活性化モードである際には前記電源を昇圧して前記ＩＣに提供し、前記ＩＣがスリープモードである際には前記電源をそのまま前記ＩＣに伝達することができる。
【００２２】
この際、前記ＩＣは、前記電源調節部と連結され、電源が印加される電源入力端と、前記ＩＣが活性化モードである際には第１制御信号を出力し、前記ＩＣがスリープモードである際には第２制御信号を出力する制御信号出力端と、を含むことができる。
【００２３】
また、前記電源調節部は、前記電源が印加される第１端子と、前記制御信号出力端と連結された第２端子と、前記電源入力端と連結された第３端子と、を含み、前記第２端子に前記第２制御信号が印加されると、前記第１端子に印加された電圧と同一の電圧を前記第３端子に出力し、前記第２端子に前記第１制御信号が印加されると、前記第１端子に印加された電圧を昇圧して前記第３端子に出力することができる。
【００２４】
また、前記電源調節部は、前記第１端子に一端が連結され、前記第３端子に他端が連結され、前記第２端子に制御端子が連結されたスイッチ部と、前記第１端子と連結された入力端子、前記第３端子の他端と連結された出力端子、及び前記第２端子に印加された制御信号の反転信号を受信する制御信号入力端子を含み、前記入力端子に印加された電圧を昇圧して前記第３端子に出力するアップ‐コンバータ部と、をさらに含むことができる。
【００２５】
また、前記第１制御信号はＯＦＦまたはＬｏｗ信号であり、前記第２制御信号はＯＮまたはＨｉｇｈ信号であって、前記アップ‐コンバータ部は、前記制御信号入力端子にＯＮまたはＨｉｇｈ信号が印加されると作動を開始し、前記制御信号入力端子にＯＦＦまたはＬｏｗ信号が印加されると作動を停止することができる。
【００２６】
本発明の他の形態によるＥＳＬタグは、電源端子を介して電源を出力する電池と、活性化モードで第１制御信号を出力し、スリープモードで第２制御信号を出力するＩＣと、前記電源の入力を受け、前記第２制御信号が印加された場合に比べ、前記第１制御信号が印加された場合に相対的に高い電圧を出力して前記ＩＣに提供する電源調節部と、を含むことができる。
【００２７】
この際、前記ＩＣは、前記電源調節部と連結され、電源が印加される電源入力端と、前記第１制御信号及び前記第２制御信号を出力する制御信号出力端と、を含むことができる。
【００２８】
また、前記電源調節部は、前記電源端子と連結された第１端子と、前記制御信号出力端と連結された第２端子と、前記電源入力端と連結された第３端子と、を含むことができる。
【００２９】
また、前記電源調節部は、前記第２端子に前記第２制御信号が印加されると、前記第１端子に印加された電圧をレギュレートして前記第３端子に出力し、前記第２端子に前記第１制御信号が印加されると、前記第１端子に印加された電圧を減圧して前記第３端子に出力することができる。
【００３０】
また、前記電源調節部は、前記第１端子に入力側が連結され、前記第３端子に出力側が連結され、前記第２端子に制御端子が連結されたレギユレ一タと、前記第１端子と連結された入力端子、前記第３端子の他端と連結された出力端子、及び前記第２端子に印加された制御信号の反転信号を受信する制御信号入力端子を含み、前記入力端子に印加された電圧を減圧して前記第３端子に出力するダウン‐コンバータ部と、を含むことができる。
【００３１】
また、前記第１制御信号はＯＦＦまたはＬｏｗ信号であり、前記第２制御信号はＯＮまたはＨｉｇｈ信号であって、前記ダウン‐コンバータ部は、前記制御信号入力端子にＯＮまたはＨｉｇｈ信号が印加されると作動を開始し、前記制御信号入力端子にＯＦＦまたはＬｏｗ信号が印加されると作動を停止することができる。
【００３２】
本発明の他の形態によるＥＳＬタグは、電源端子を介して電源を出力する電池と、前記電源端子と連結され、電源が印加される電源入力端、及び制御信号を出力する制御信号出力端を備えており、活性化モードで第１制御信号を出力し、スリープモードで第２制御信号を出力する第１ＩＣと、前記第１ＩＣと分離して個別に動作する第２ＩＣと、前記電源端子と連結された第１端子、前記制御信号出力端と連結された第２端子、及び前記第２ＩＣと連結された第３端子を備えた電源調節部と、を含み、前記電源調節部は、前記第２端子に前記第２制御信号が印加されると、前記第１端子に印加された電圧と同一の電圧を前記第３端子に出力し、前記第２端子に前記第１制御信号が印加されると、前記第１端子に印加された電圧を昇圧して前記第３端子に出力することができる。
【発明の効果】
【００３３】
上記のように構成された本発明によるＥＳＬタグは、ＥＳＬタグが低温環境などで動作して電池の電圧降下現象が発生する場合にも、正常に動作できるという有用な効果を提供する。
【００３４】
また、コンバータで不要に消耗される電力を最小化することができる。
【図面の簡単な説明】
【００３５】
【図１】タイムスケジューリングによるＥＳＬタグの電圧及び電流の変化を概略的に例示したグラフである。
【図２】正常環境でＥＳＬタグが動作する場合と低温環境でＥＳＬタグが動作する場合との電圧レベル差を概略的に例示したグラフである。
【図３】本発明の第１実施形態によるＥＳＬタグを概略的に例示した図面である。
【図４】本発明の第２実施形態によるＥＳＬタグを概略的に例示した図面である。
【図５】本発明の第３実施形態によるＥＳＬタグを概略的に例示した図面である。
【図６】本発明の第４実施形態によるＥＳＬタグの電源調節部を概略的に例示した図面である。
【図７】本発明の第５実施形態によるＥＳＬタグの電源調節部を概略的に例示した図面である。
【発明を実施するための形態】
【００３６】
本発明の利点及び特徴、そしてそれらを果たす方法は、添付図面とともに詳細に後述される実施形態を参照すると明確になるであろう。しかし、本発明は以下で開示される実施形態に限定されず、相異なる多様な形態で具現されることができる。本実施形態は、本発明の開示が完全になるようにするとともに、本発明が属する技術分野において通常の知識を有する者に発明の範疇を完全に伝達するために提供されることができる。明細書全体において、同一参照符号は同一構成要素を示す。
【００３７】
本明細書で用いられる用語は、実施形態を説明するためのものであり、本発明を限定しようとするものではない。本明細書で、単数形は文句で特別に言及しない限り複数形も含む。明細書で用いられる「含む（ｃｏｍｐｒｉｓｅ）」及び／または「含んでいる（ｃｏｍｐｒｉｓｉｎｇ）」は言及された構成要素、段階、動作及び／または素子は一つ以上の他の構成要素、段階、動作及び／または素子の存在または追加を排除しない。
【００３８】
図示の簡略化および明瞭化のために、図面は一般的な構成方式を図示しており、本発明の説明において実施形態の論議を不明瞭にすることを避けるために、公知の特徴および技術に関する詳細な説明を省略することができる。さらに、図面の構成要素は必ずしも縮尺によって図示されたものではない。例えば、本発明の実施形態を容易に理解するために、図面の一部の構成要素のサイズが他の構成要素より誇張されることができる。互いに異なる図面における同一の参照符号は同一の構成要素を示し、必ずしもそうではないが、類似した参照符号は類似した構成要素を示すことができる。
【００３９】
明細書および請求範囲において、「第１」、「第２」、「第３」および「第４」等の用語が記載されている場合、類似した構成要素同士を区別するために用いられ、必ずしもそうではないが、特定の順次または発生順序を記述するために用いられる。そのように用いられる用語は、ここに記述された本発明の実施形態が、例えば、ここに図示または説明されたものではなく他のシーケンスで動作するように適切な環境下で互換可能であることを理解することができる。同様に、ここで、方法が一連の段階を含むと記述される場合、ここに提示されたそのような段階の順序が必ずしもそのような段階が実行される順序ではなく、任意に記述された段階は省略することができ、および／またはここに記述されていない任意の他の段階をその方法に付加することができる。
【００４０】
明細書および請求範囲において、「左側」、「右側」、「前」、「後」、「上部」、「底部」、「上に」、「下に」等の用語が記載されている場合には、説明のために用いられるものであり、必ずしも不変の相対的な位置を記述するためのものではない。そのように用いられる用語は、ここに記述された本発明の実施形態が、例えば、ここに図示または説明されたものではなく他の方向に動作するように適切な環境下で互換可能であることを理解することができる。ここで用いられた用語「連結された」は、電気的または非電気的な方式で直接または間接的に接続されることで定義される。ここで、互いに「隣接する」と記述された対象は、その文章が用いられる文脈に対して適切に、互いに物理的に接触するか、互いに近接するか、互いに同一の一般的な範囲または領域に存在することができる。ここで、「一実施形態において」という文章は、必ずしもそうではないが、同一の実施形態を意味する。
【００４１】
以下、添付の図面を参照して本発明の構成および作用効果についてより詳細に説明する。
【００４２】
図１はタイムスケジューリングによるＥＳＬタグの電圧及び電流の変化を概略的に例示したグラフであり、図２は正常環境でＥＳＬタグが動作する場合と低温環境でＥＳＬタグが動作する場合との電圧レベル差を概略的に例示したグラフである。
【００４３】
図１を参照すれば、タイムスケジューリング方法による活性化モード（Ａｃｔｉｖｅ  ｍｏｄｅ）またはスリープモード（Ｓｌｅｅｐ  ｍｏｄｅ）におけるＥＳＬタグの電圧及び電流の変化が理解できる。
【００４４】
すなわち、活性化モードでは、ＥＳＬタグの電流消耗が急激に増加するため、電圧レベルは急激に減少し、スリープモードでは、ＥＳＬタグの電流消耗が最小化されるため、電圧レベルが回復される。
【００４５】
しかし、冷凍システムまたは冷蔵システムなどの低温環境でＥＳＬタグが用いられる場合、電池の出力電圧自体が低くなる。
【００４６】
すなわち、図２に例示したように、常温などの正常環境では、ＶＮで示したように、高いレベルで活性化モードの電圧降下が発生するが、冷凍システムまたは冷蔵システムなどの低温環境では、ＶＬで示したように、全体的な電圧レベルが正常環境に比べ減少される。
【００４７】
さらに、このような低温環境による電圧降下により、活性化モードの電圧がＥＳＬタグの最小動作電圧（Ｖｍｉｎ）以下に減少される場合、ＥＳＬタグの動作が停止したり、誤動作したりするなどの問題が発生する。
【００４８】
本発明者らは、上記のような問題を解決するために、電池、ＩＣ、及び電源調節部を含むＥＳＬタグを開発した。
【００４９】
図３は本発明の第１実施形態によるＥＳＬタグ１００を概略的に例示した図面である。
【００５０】
図３を参照すれば、本発明の第１実施形態によるＥＳＬタグ１００は、電池１１０と、第１ＩＣ１２０と、電源調節部１３０と、を含むことができる。
【００５１】
電池１１０としては、電源端子１１１が備えられた通常のコイン型電池を用いることができるが、これに限定されるものではない。
【００５２】
第１ＩＣ１２０は、通常のＭＣＵなどの集積回路で具現されることができる。図示していないが、第１ＩＣ１２０は、ＥＳＬタグ１００に備えられた表示手段及び通信手段などを制御することで、ＥＳＬタグ１００が必要な情報を表示し、該当内容をアップデートすることができるように、ＥＳＬタグ１００を制御する役割をすることができる。
【００５３】
この際、第１ＩＣ１２０は、電源が印加される電源入力端１２１と、制御信号を出力する制御信号出力端１２２と、を備えており、制御信号出力端１２２を介して第１制御信号及び第２制御信号が出力されることができる。
【００５４】
ここで、ＥＳＬタグ１００が活性化モードである場合には第１制御信号が出力され、ＥＳＬタグ１００がスリープモードである場合には第２制御信号が出力される。
【００５５】
また、第１制御信号はＯＦＦまたはＬｏｗ信号であり、第２制御信号はＯＮまたはＨｉｇｈ信号であることができる。
【００５６】
電源調節部１３０は、第１端子１３１と、第２端子１３２と、第３端子１３３と、を含むことができる。
【００５７】
この際、第１端子１３１は電池１１０の電源端子１１１と連結され、第２端子１３２は第１ＩＣ１２０の制御信号出力端１２２と連結され、第３端子１３３は第１ＩＣ１２０の電源入力端１２１と連結されることができる。
【００５８】
また、電源調節部１３０は、第２端子１３２に印加された制御信号に応じて、第１端子１３１に印加された電圧をそのまま第３端子１３３に出力するか、または昇圧して第３端子１３３に出力することができる。
【００５９】
例えば、第２端子１３２に第１制御信号が印加されると、その電圧を昇圧して出力し、第２制御信号が印加されると、そのまま出力することができる。
【００６０】
そのために、電源調節部１３０は、スイッチ部１３４と、アップ‐コンバータ部１３５と、をさらに含むことができる。
【００６１】
先ず、スイッチ部１３４は、第１端子１３１と第３端子１３３との間に備えられ、オンまたはオフ動作することで第１端子１３１と第３端子１３３とを連結または遮断させる機能をすることができる。
【００６２】
この際、スイッチ部１３４の制御端子が第２端子１３２に連結されることで、第１制御信号または第２制御信号を受信してオンまたはオフ動作を行うことができる。
【００６３】
次に、アップ‐コンバータ部１３５は、入力端子ＩＮと、制御信号入力端子ＥＮと、出力端子ＯＵＴと、を含み、ＤＣ／ＤＣコンバータで具現されることができる。
【００６４】
この際、入力端子ＩＮは、第１端子１３１と連結されて電池１１０から電源の提供を受けることができる。
【００６５】
また、出力端子ＯＵＴは、第３端子１３３と連結されて、昇圧された電圧を出力することができる。
【００６６】
また、制御信号入力端子ＥＮは第２端子１３２と連結される。ここで、第２端子１３２に印加された第１制御信号または第２制御信号がそのまま印加されるのではなく、反転されて印加される。
【００６７】
すなわち、図３に例示されたように、第２端子１３２と制御信号入力端子ＥＮとの間にインバータ１３６が備えられて、第２端子１３２に印加された制御信号が反転されて制御信号入力端子ＥＮに印加されることができる。
【００６８】
これにより、活性化モードで第１ＩＣ１２０の制御信号出力端１２２から出力されるＯＦＦまたはＬｏｗ信号である第１制御信号が第２端子１３２に印加されると、スイッチ部１３４がＯＦＦ状態になると同時に、アップ‐コンバータ部１３５の制御信号入力端子ＥＮにはＯＮまたはＨｉｇｈ信号が印加されることにより、第１端子１３１の電圧が昇圧されて、出力端子と第３端子１３３を経て第１ＩＣ１２０に提供されることができる。
【００６９】
反対に、スリープモードで第１ＩＣ１２０の制御信号出力端１２２から出力されるＯＮまたはＨｉｇｈ信号である第２制御信号が印加されると、スイッチ部１３４がＯＮ状態になると同時に、アップ‐コンバータ部１３５の制御信号入力端子ＥＮにはＯＦＦまたはＬｏｗ信号が印加されることにより、アップ‐コンバータ部１３５の動作が停止される。
【００７０】
このように、活性化モードでのみアップ‐コンバータ部１３５が動作し、スリープモードではアップ‐コンバータ部１３５が動作しないため、アップ‐コンバータ部１３５で不要に消耗される電力が最小化されることができる。
【００７１】
また、ＥＳＬタグ１００が低温環境で動作することで電池１１０の出力電圧が減少される場合にも、活性化モードではアップ‐コンバータを介して第１ＩＣ１２０などに出力される電圧のレベルが上昇するため、ＥＳＬタグ１００が正常に動作することができる。
【００７２】
さらに、活性化モードでアップ‐コンバータにより消耗される電流は、第１ＩＣ１２０などにより消耗される電流に比べ非常に低い値であるため、電池１１０の使用期間にほとんど影響を与えない。
【００７３】
以上で、スイッチ部１３４は、第２端子１３２に印加された制御信号をそのまま受信し、アップ‐コンバータ部１３５は、反転された制御信号を受信することを基準として説明した。図示していないが、第１制御信号がＯＮまたはＨｉｇｈ信号であり、第２制御信号がＯＦＦまたはＬｏｗ信号である場合には、スイッチ部が第２端子に印加された制御信号を反転して受信し、アップ‐コンバータ部が第２端子に印加された制御信号をそのまま受信することもできる。
【００７４】
また、前記ＥＳＬタグ１００は、第３端子１３３と接地との間に備えられた出力キャパシタ１３７をさらに含み、第３端子１３３に出力される電圧を安定化（または平滑化）することもできる。
【００７５】
図４は本発明の第２実施形態によるＥＳＬタグ２００を概略的に例示した図面である。
【００７６】
図４を参照すれば、本発明の第２実施形態によるＥＳＬタグ２００は、第２ＩＣ２２０をさらに備えることができる。
【００７７】
第２ＩＣ２２０は、上述の第１実施形態による電源調節部１３０の第３端子１３３に電源入力端２２１が連結されるように備えられて、ＥＳＬタグ２００のウェークアップ、データ送信などの所定の動作を制御する役割をすることができる。
【００７８】
図５は本発明の第３実施形態によるＥＳＬタグ３００を概略的に例示した図面である。
【００７９】
図５を参照すれば、本発明の第３実施形態によるＥＳＬタグ３００は、図３を参照して説明した第１ＩＣ１２０に代えて、電池１１０の電源端子１１１に連結されて電源が直接印加される電源入力端３２１を備えた第３ＩＣ３２０を含むことができる。
【００８０】
この際、第３ＩＣ３２０は、上述の第１ＩＣ１２０と同様に、第２端子１３２に連結された制御信号出力端３２２を備えており、活性化モードで第１制御信号を出力し、スリープモードで第２制御信号を出力することができる。
【００８１】
以上で説明した本発明の第２実施形態及び第３実施形態は、２つ以上のＩＣが備えられて、電圧レベルの急激な減少現象が誘発される環境でも正常に動作できるＥＳＬタグ２００、３００を提供する。
【００８２】
また、アップ‐コンバータ部１３５の効率及び電流容量が、複数のＩＣの全てに提供される電流容量より不足する場合には、第３実施形態のように、何れか一つのＩＣのみに昇圧された電圧が提供されるようにしてもよいということが理解できるであろう。
【００８３】
図６は本発明の第４実施形態によるＥＳＬタグの電源調節部４３０を概略的に例示した図面である。
【００８４】
図６を参照すれば、本実施形態によるＥＳＬタグの電源調節部４３０は、レギユレ一タ４３４と、ダウン‐コンバータ部４３５と、で構成されることができる。
【００８５】
すなわち、電池１１０が第１ＩＣ１２０の動作電圧より高い電圧を出力する場合、スリープモードでは、電源調節部４３０が電池１１０の出力電圧をレギュレートして第３端子１３３に提供し、活性化モードでは、電源調節部４３０が電池１１０の出力電圧を減圧して第３端子１３３に提供することができる。
【００８６】
図７は本発明の第５実施形態によるＥＳＬタグの電源調節部５３０を概略的に例示した図面である。
【００８７】
図７を参照すれば、本実施形態によるＥＳＬタグの電源調節部５３０は、図６に例示されたレギユレ一タ４３４に代えて、スイッチ部５３４と、ツェナーダイオード５３６と、を備えるということが理解できるであろう。
【００８８】
上記のように構成された本発明の一実施形態によるＥＳＬタグは、電池の残量が十分であるにもかかわらず、低温環境における電圧降下によって動作されなくなる現象を、電池の容量を増加させることなく防止することができる。
【符号の説明】
【００８９】
１００、２００、３００  ＥＳＬタグ
１１０  電池
１１１  電源端子
１２０  第１ＩＣ
１２１  電源入力端
１２２  制御信号出力端
１３０  電源調節部
１３１  第１端子
１３２  第２端子
１３３  第３端子
１３４  スイッチ部
１３５  アップ‐コンバータ部
１３６  インバータ
１３７  出力キャパシタ
２２０  第２ＩＣ
２２１  電源入力端
３２０  第３ＩＣ
３２１  電源入力端
３２２  制御信号出力端
４３０  電源調節部
４３４  レギユレータ
４３５  ダウン‐コンバータ部
５３０  電源調節部
５３４  スイッチ部
５３６  ツェナーダイオード
【図１】
2014204667.tif 000003
【図２】
2014204667.tif 000004
【図３】
2014204667.tif 000005
【図４】
2014204667.tif 000006
【図５】
2014204667.tif 000007
【図６】
2014204667.tif 000008
【図７】
2014204667.tif 000009